【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
体の少なくとも一部の画像を得るように作動可能な画像取得システムであって、
(a) 体の外にあって体からのエネルギーを測定する少なくとも１つのエネルギーセンサと、少なくとも１つのエネルギーセンサからの信号の少なくとも一部に基づいて、画像を生成するように構成された画像生成システムと、画像生成システムに作動可能に繋がった画像ディスプレイと、画像生成システムに作動可能に繋がったユーザインターフェイスとを具えた画像化システムと、
(b) 少なくとも第１の流体源と、該第１の流体源に作動可能に繋がった加圧システムと、該加圧システムに作動可能に繋がったユーザインターフェイスとを具えた流体インジェクタシステムと、
(c) 画像化システムと流体インジェクタシステムとを通信可能に設定する通信システムとを具え、
画像化システムと流体インジェクタシステムは更に、通信システムを加えて作動可能に一体化されて、画像化システムは流体インジェクタシステムとともに、又は流体インジェクタシステム無しで使用され得る画像取得システム。
【請求項２】
画像化システムは更に、体の外にあって体を通ってエネルギーを送信する少なくとも１つのエネルギー源を具える、請求項１に記載の画像取得システム。
【請求項３】
画像化システムの少なくとも１つの要素は、インジェクタシステムの少なくとも１つの要素と物理的に接続されている、請求項１に記載の画像取得システム。
【請求項４】
インジェクタシステムの少なくとも１つの部分は、画像化システムのハウジング内に収納されている、請求項３に記載の画像取得システム。
【請求項５】
インジェクタのハウジングの少なくとも一部は、画像化システムに取り付けられている、請求項３に記載の画像取得システム。
【請求項６】
注入システムに作動可能に繋がった少なくとも１つの流路は、画像化システムに作動可能に繋がった、請求項３に記載の画像取得システム。
【請求項７】
注入システムに作動可能に繋がった少なくとも１つの貯めが、画像化システムに作動可能に繋がった、請求項３に記載の画像取得システム。
【請求項８】
画像化システムは、インジェクタシステム用の供給物を収容するように構成された少なくとも１つの供給コンパートメントを含む、請求項３に記載の画像取得システム。
【請求項９】
画像化システムとインジェクタシステムは、共通の電力調整システムに電気的に接続された、請求項１に記載の画像取得システム。
【請求項１０】
画像化システムとインジェクタシステムは、少なくとも１つの患者の生理学的センサから共通のデータを受信するように構成された、請求項１に記載の画像取得システム。
【請求項１１】
画像化システムとインジェクタシステム用の制御ソフトウエアの少なくとも一部は、結合されている、請求項１に記載の画像取得システム。
【請求項１２】
画像化システムとインジェクタシステムは、少なくとも１つの共通状態の状態機械を共有する、請求項１１に記載の画像取得システム。
【請求項１３】
画像化システムとインジェクタシステムは、画像化パラメータ及び流体搬送プロトコルを結合する、請求項１１に記載の画像取得システム。
【請求項１４】
画像化システムとインジェクタシステムは、ユーザの嗜好を結合させる、請求項１１に記載の画像取得システム。
【請求項１５】
画像化システムとインジェクタシステムは、患者の情報を共有する、請求項１１に記載の画像取得システム。
【請求項１６】
画像化システムとインジェクタシステムは、使用データを共有する、請求項１１に記載の画像取得システム。
【請求項１７】
画像化システムとインジェクタシステムは、少なくとも１つの共通のデータ通信バスを共有する、請求項１に記載の画像取得システム。
【請求項１８】
画像化システムとインジェクタシステムは、少なくとも１つの共通のコンピュータハードウエア要素を共有する、請求項１に記載の画像取得システム。
【請求項１９】
画像化システムとインジェクタシステムは、少なくとも１つの共通の安全チェックシステムを共有する、請求項１に記載の画像取得システム。
【請求項２０】
画像化システムとインジェクタシステムは、
(a) 少なくとも１つの共通のユーザインターフェイスと、
(b) 少なくとも１つの共通のディスプレイとを共有する、請求項１に記載の画像取得システム。
【請求項２１】
画像化システムとインジェクタシステムは、少なくとも１つの他の情報システムへの少なくとも１つの共通の通信ポートを共有する、請求項１に記載の画像取得システム。
【請求項２２】
体の少なくとも一部の画像を得るように作動可能な画像取得システムであって、
(a) 体の外にあって体からのエネルギーを測定する少なくとも１つのエネルギーセンサと、少なくとも１つのエネルギーセンサからの信号の少なくとも一部に基づいて、画像を生成するように構成された画像生成システムと、画像生成システムに作動可能に繋がった画像ディスプレイと、画像生成システムに作動可能に繋がったユーザインターフェイスとを具えた画像化システムと、
(b) 少なくとも第１の流体源と、該第１の流体源に作動可能に繋がった加圧システムと、該加圧システムに作動可能に繋がったユーザインターフェイスとを具えた流体インジェクタシステムとを具え、
画像化システムとインジェクタシステムは、画像化システムとインジェクタシステム間のデータ通信の他の少なくとも１つの態様に於いて、作動可能に一体化されて、画像化システムは流体インジェクタシステムとともに、又は流体インジェクタシステム無しで使用され得る画像取得システム。
【請求項２３】
体の少なくとも一部の画像を得るように作動可能な画像取得システムであって、
(a) 体の外にあって体からのエネルギーを測定する少なくとも１つのエネルギーセンサと、少なくとも１つのエネルギーセンサからの信号の少なくとも一部に基づいて、画像を生成するように構成された画像生成システムと、画像生成システムに作動可能に繋がった画像ディスプレイと、画像生成システムに作動可能に繋がったユーザインターフェイスとを具えた画像化システムと、
(b) 少なくとも第１の流体源と、該第１の流体源に作動可能に繋がった加圧システムと、該加圧システムに作動可能に繋がったユーザインターフェイスとを具えた流体インジェクタシステムとを具え、
画像化システムとインジェクタシステムは、以下の少なくとも２つの態様にて作動可能に一体化されて、画像化システムは流体インジェクタシステムとともに、又は流体インジェクタシステム無しで使用され得る画像取得システム；
物理的接続、少なくとも１つの共通のユーザインターフェイスを介したデータ入力、少なくとも１つの共通のディスプレイを介した情報の表示、少なくとも１つの共通の電力調整システムへの電気的接続、少なくとも１つの患者の生理学的センサからの少なくとも１つの共通の通信ポート、及び共通の制御システム。
【請求項２４】
インジェクタシステムの少なくとも一部は、画像化システムのハウジング内に収納されている、請求項２３に記載の画像取得システム。
【請求項２５】
インジェクタのハウジングの少なくとも一部は、画像化システムに取り付けられている、請求項２３に記載の画像取得システム。
【請求項２６】
注入システムに作動可能に繋がった少なくとも１つの流路は、画像化システムに作動可能に繋がっている、請求項２３に記載の画像取得システム。
【請求項２７】
注入システムに作動可能に繋がった少なくとも１つの流体貯めは、画像化システムに作動可能に繋がっている、請求項２３に記載の画像取得システム。
【請求項２８】
画像化システムは、インジェクタシステム用の供給物を収納するように構成された少なくとも１つの供給仕切りを含む、請求項２３に記載の画像取得システム。
【請求項２９】
画像化システム及びインジェクタシステム用の制御ソフトウエアの少なくとも一部は一体化されている、請求項２３に記載の画像取得システム。
【請求項３０】
画像化システムとインジェクタシステムは、少なくとも１つの共通の状態機械状態を共有する、請求項２９に記載の画像取得システム。
【請求項３１】
画像化システムとインジェクタシステムは、画像化パラメータ及び流体搬送プロトコルを一体化する、請求項２９に記載の画像取得システム。
【請求項３２】
画像化システムとインジェクタシステムは、ユーザインターフェイスを一体化する、請求項２９に記載の画像取得システム。
【請求項３３】
画像化システムとインジェクタシステムは、患者情報を共有する、請求項２９に記載の画像取得システム。
【請求項３４】
画像化システムとインジェクタシステムは、データを使用する、請求項２９に記載の画像取得システム。
【請求項３５】
画像化システムとインジェクタシステムは、少なくとも１つの共通のデータ通信バスを共有する、請求項２３に記載の画像取得システム。
【請求項３６】
画像化システムとインジェクタシステムは、少なくとも１つの共通のコンピュータハードウエア要素を共有する、請求項２３に記載の画像取得システム。
【請求項３７】
画像化システムとインジェクタシステムは、少なくとも１つの共通の安全チェックシステムを共有する、請求項２３に記載の画像取得システム。
【請求項３８】
画像化システムとインジェクタシステムは、
(a) 少なくとも１つの共通のユーザインターフェイスと、
(b) 少なくとも１つの共通のディスプレイの
少なくとの１つを共有する、請求項２３に記載の画像取得システム。
【請求項３９】
画像化システムとインジェクタシステムは、少なくとも１つの他の情報システムへの少なくとも１つの共通の通信ポートを共有する、請求項２３に記載の画像取得システム。
【請求項４０】
画像化システムであって、
(a) 体の外にあって体からのエネルギーを測定する少なくとも１つのエネルギーセンサと、
(b) 画像生成システムに作動可能に繋がった画像ディスプレイと、
(c) 画像生成システムに作動可能に繋がったユーザインターフェイスを具え、  画像化システムは少なくとも以下の２つの態様にて流体インジェクタと一体化されるように構成されて、画像化システムは流体インジェクタシステムとともに、又は流体インジェクタシステム無しで使用され得る画像化システム；
物理的な接続、ユーザインターフェイス、少なくとも１つの共通の電力調整システムへの電気的な接続、少なくとも１つの患者の生理学的なセンサからの共通のデータの受信、少なくとも１つの情報システムへの少なくとも１つの共通の通信ポート、及び共通の制御システム。
【請求項４１】
流体インジェクタシステムであって、
(a) 少なくとも第１の流体源と、
(b) 該第１の流体源に作動可能に繋がった加圧システムと、
(c) 該加圧システムに作動可能に繋がったユーザインターフェイスとを具え、
該流体インジェクタシステムは、少なくとも以下の２つの態様にて流体インジェクタと一体化されるように構成されて、画像化システムは流体インジェクタシステムとともに、又は流体インジェクタシステム無しで使用され得る流体インジェクタシステム；
物理的な接続、ユーザインターフェイス、少なくとも１つの共通の電力調整システムへの電気的な接続、少なくとも１つの患者の生理学的なセンサからの共通のデータの受信、少なくとも１つの情報システムへの少なくとも１つの共通の通信ポート、及び共通の制御システム。
【請求項４２】
画像化システムは、少なくとも３つの態様にて流体インジェクタシステムと一体化されるように構成されている、請求項４０に記載の画像化システム。
【請求項４３】
流体インジェクタシステムは、少なくとも３つの態様にて画像化システムと一体化されるように構成されている、請求項４１に記載の流体インジェクタシステム。